(57)【特許請求の範囲】
【請求項１】
透析患者から取り出された血液を通す血液回路と、
前記血液回路に設けられる透析器と、
目標値として前記透析患者の状態に応じて定められる血糖値である目標血糖値と、前記透析器に流入される透析液に含まれる糖の濃度である透析液糖濃度と、前記透析器内を単位時間あたりに流れる血液の液量である血液流量とを少なくとも入力可能な入力部と、
前記目標血糖値、前記透析液糖濃度及び前記血液流量に基づいて、前記血液回路を流れる血液に補充すべき糖溶液量を予測する補充量予測部と、
前記補充すべき糖溶液量の糖溶液が補充されるように、前記糖溶液を前記血液回路に送り込むポンプを制御するポンプ制御部と
を備えることを特徴とする透析システム。
【請求項２】
前記補充量予測部は、前記血液回路を流れる血液から測定された実測血糖値を取得した場合、前記実測血糖値、前記透析液糖濃度及び前記血液流量に基づいて、前記補充すべき糖溶液量を変更する
ことを特徴とする請求項１に記載の透析システム。
【請求項３】
前記ポンプ制御部は、前記補充すべき糖溶液量が閾値以上である場合には、前記糖溶液が継続的に補充されるように前記ポンプを制御し、前記補充すべき糖溶液量が閾値未満である場合には、前記糖溶液が間欠的に補充されるように前記ポンプを制御する
ことを特徴とする請求項１又は請求項２に記載の透析システム。
【請求項４】
前記補充すべき糖溶液量の濃度に応じて、前記ポンプ制御部により送られる糖溶液の送り先を、前記血液回路又は前記透析器に接続される透析流路のいずれかに切り替える経路決定部を備える
ことを特徴とする請求項１に記載の透析システム。
【請求項５】
前記ポンプ制御部により送られる糖溶液が貯留される濃度調整用タンクと、
前記濃度調整用タンクから送り出される糖溶液の濃度が規定濃度範囲となるように、前記濃度調整用タンクから送り出される糖溶液の濃度を調整する濃度調整部と
を備える
ことを特徴とする請求項１に記載の透析システム。
【請求項６】
透析患者から取り出された血液を通す血液回路に糖を補充する糖補充装置の制御を司る制御部に対して、
目標値として前記透析患者の状態に応じて定められる血糖値である目標血糖値と、透析器に流入される透析液に含まれる糖の濃度である透析液糖濃度と、前記透析器内を単位時間あたりに流れる血液の液量である血液流量とに基づいて、前記血液回路を流れる血液に補充すべき糖溶液量を予測すること、
前記補充すべき糖溶液量の糖溶液が補充されるように、前記糖溶液を前記血液回路に送り込むポンプを制御すること
を実行させることを特徴とする糖補充プログラム。
【発明の詳細な説明】
【技術分野】
【０００１】
本発明は透析システム、糖補充方法及び糖補充プログラムに関し、血液中の老廃物を除去する場合に好適なものである。
【背景技術】
【０００２】
血液中の老廃物を除去して血液を浄化する透析システムとして、個人用透析装置（透析液を１台毎に作製）による透析システムや、セントラル透析液供給システムと呼ばれる透析システムがある。
【０００３】
個人用透析装置による透析システムは、一人の透析患者に応じた大型のプラスチック容器に入っている液剤の透析溶剤を用いて、当該透析患者に対して割り当てられる個人用透析装置によって血液を浄化するようになっている。このため、個人用透析装置による透析システムは、透析患者ごとに異なる透析液を使用することができるが、大型のプラスチック容器に入っている液剤の透析溶剤の保管に場所を要し、透析溶剤を治療に用いる際の運搬が医療従事者に過度な負担を求めているという問題がある。
【０００４】
一方、セントラル透析液供給システムは、容積が小さく、軽量化された粉剤の透析溶剤を基に透析溶剤溶解装置によって透析液原液を作成し、その透析液原液を基に多人数用透析液供給装置によって濃度調整した透析液を作成する。また、濃度調整された透析液を各透析用監視装置に供給し、当該供給された透析液によって各透析患者の血液を浄化するようになっている。このため、セントラル透析液供給システムでは、透析溶剤の容積が小さく、軽量化されることで、透析溶剤の保管に場所を要さず、透析溶剤を治療に用いる際の運搬によって医療従事者に過度な負担を求めないが、透析患者ごとに異なる透析液を使用することはできないという問題がある。
【０００５】
ところが透析液にはブドウ糖が含まれており、複数の人の透析患者に共通のブドウ糖濃度となる透析液が用いられると、当該透析患者の血糖値が変動する可能性がある。特に、複数人の透析患者のなかには、糖尿病を発症している透析患者と、糖尿病を発症していない透析患者とが含まれている場合もあり、この場合には透析患者の血糖値の変動幅がより大きくなる傾向がある。
【０００６】
このため、糖尿病を発症している透析患者に応じて透析液中のブドウ糖濃度が設定された場合には、糖尿病を発症していない透析患者の負担が大きくなる。一方、糖尿病を発症していない透析患者に応じて透析液中のブドウ糖濃度が設定された場合には、糖尿病を発症している透析患者の負担が大きくなる。
【０００７】
このような透析患者の負担を低減するための方法の１つとして下記特許文献１の透析システムが開示されている。この透析システムは、透析器を横切るグルコースの移動量を求め、当該移動量に応じてグルコースを血液に付加するようになっている。
【先行技術文献】
【特許文献】
【０００８】
【特許文献１】特許第５７７１８６４号
【発明の概要】
【発明が解決しようとする課題】
【０００９】
しかしながら、上記特許文献１の透析システムでは、透析器を横切るグルコースの移動量を求めるために、当該透析器を通過する前後の血液の血糖値を測定する必要がある。このため透析患者に過度の採血が要求され、透析液のブドウ糖濃度に起因する透析患者の負担が低減されたとしても、当該透析患者に採血負担が強いられることになってしまう。
【００１０】
そこで、本発明は、透析患者の採血負担を低減させながらも適量の糖を補充し得る透析システム、糖補充方法及び糖補充プログラムを提案する。
【課題を解決するための手段】
【００１１】
本発明は、透析システムであって、透析患者から取り出された血液を通す血液回路と、前記血液回路に設けられる透析器と、目標値として前記透析患者の状態に応じて定められる血糖値である目標血糖値と、前記透析器に流入される透析液に含まれる糖の濃度である透析液糖濃度と、前記透析器内を単位時間あたりに流れる血液の液量である血液流量とを少なくとも入力可能な入力部と、前記目標血糖値、前記透析液糖濃度及び前記血液流量に基づいて、前記血液回路を流れる血液に補充すべき糖溶液量を予測する補充量予測部と、前記補充すべき糖溶液量の糖溶液が補充されるように、前記糖溶液を前記血液回路に送り込むポンプを制御するポンプ制御部とを備えることを特徴とする。
【００１２】
前記補充量予測部は、前記血液回路を流れる血液から測定された実測血糖値を取得した場合、前記実測血糖値、前記透析液糖濃度及び前記血液流量に基づいて、前記補充すべき糖溶液量を変更するようにしても良い。
【００１３】
前記ポンプ制御部は、前記補充すべき糖溶液量が閾値以上である場合には、前記糖溶液が継続的に補充されるように前記ポンプを制御し、前記補充すべき糖溶液量が閾値未満である場合には、前記糖溶液が間欠的に補充されるように前記ポンプを制御するようにしても良い。
【００１４】
前記補充すべき糖溶液量の濃度に応じて、前記ポンプ制御部により送られる糖溶液の送り先を、前記血液回路又は前記透析器に接続される透析流路のいずれかに切り替える経路決定部を備えるようにしても良い。
【００１５】
前記ポンプ制御部により送られる糖溶液が貯留される濃度調整用タンクと、前記濃度調整用タンクから送り出される糖溶液の濃度が規定濃度範囲となるように、前記濃度調整用タンクから送り出される糖溶液の濃度を調整する濃度調整部とを備えるようにしても良い。
【００１６】
また、本発明は、透析患者から取り出された血液を通す血液回路と、前記血液回路に設けられる透析器とを有する透析システムにおける糖補充方法であって、目標値として前記透析患者の状態に応じて定められる血糖値である目標血糖値と、前記透析器に流入される透析液に含まれる糖の濃度である透析液糖濃度と、前記透析器内を単位時間あたりに流れる血液の液量である血液流量との入力を待機する入力待機ステップと、前記目標血糖値、前記透析液糖濃度及び前記血液流量に基づいて、前記血液回路を流れる血液に補充すべき糖溶液量を予測する液量予測ステップと、前記補充すべき糖溶液量の糖溶液が補充されるように、前記糖溶液を前記血液回路に送り込むポンプを制御するポンプ制御ステップとを備えることを特徴とする。
【００１７】
また、本発明は、糖補充プログラムであって、透析患者から取り出された血液を通す血液回路に糖を補充する糖補充装置の制御を司る制御部に対して、目標値として前記透析患者の状態に応じて定められる血糖値である目標血糖値と、透析器に流入される透析液に含まれる糖の濃度である透析液糖濃度と、前記透析器内を単位時間あたりに流れる血液の液量である血液流量とに基づいて、前記血液回路を流れる血液に補充すべき糖溶液量を予測すること、前記補充すべき糖溶液量の糖溶液が補充されるように、前記糖溶液を前記血液回路に送り込むポンプを制御することを実行させることを特徴とする。
【発明の効果】
【００１８】
本発明では、目標血糖値、透析液糖濃度及び血液流量の入力結果に基づいて補充すべき糖溶液量が予測されているため、透析患者から採血する機会を抑制することができ、当該採血に起因する透析患者の負担を低減することができる。
ところで、目標血糖値は透析患者の状態に応じて定められる血糖値である。このため、本発明では、透析液に含まれる糖の濃度が複数人の透析患者に共通であるか否かにかかわらず、目標血糖値、透析液糖濃度及び血液流量に基づいて透析患者個人の血液と透析液との糖の濃度差を知ることができる。したがって、本発明では、透析患者個人の状態に応じて補充すべき糖溶液量を適切に予測し、その糖溶液量の糖溶液を血液回路に送り込むことができる。
こうして、透析患者の採血負担を低減させながらも適量の糖を注入し得る透析システム、糖補充方法及び糖補充プログラムが提供される。なお、セントラル透析液供給システムでありながら各透析患者により最適な透析治療を受けさせることもできる。
【図面の簡単な説明】
【００１９】
【図１】透析システムの構成の概略を示す図である。
【図２】透析用監視装置の構成の概略を示す図である。
【図３】糖補充装置の構成の概略を示す図である。
【図４】データベースの内容の概略を示す図である。
【図５】糖移動要因情報の入力値例を示す図である。
【図６】第１の糖補充処理（通常モード）よる糖補充方法を示すフローチャートである。
【図７】第２の糖補充処理（実測対応可能モード）よる糖補充方法を示すフローチャートである。
【図８】他の透析用監視装置における一部の構成に着目した図である。
【図９】第２実施形態における透析用監視装置の構成の概略を示す図である。
【図１０】第２実施形態におけるコントローラの機能的な構成の概略を示す図である。
【図１１】第２実施形態における糖補充方法を示すフローチャートである。
【図１２】第３実施形態における透析用監視装置の構成の概略を示す図である。
【図１３】第３実施形態におけるコントローラの機能的な構成の概略を示す図である。
【図１４】第３実施形態における糖補充方法を示すフローチャートである。
【図１５】第３実施形態における透析用監視装置で濃度調整用の液体を変更する場合を示す図である。
【図１６】第３実施形態における透析用監視装置で一部の経路を共用した場合を示す図である。
【図１７】他のデータベースの内容の概略を示す図である。
【発明を実施するための形態】
【００２０】
以下、本発明に係る透析システム、糖補充方法及び糖補充プログラムを実施するための実施形態及びその変形例が添付図面とともに例示される。以下に例示する実施形態及びその変形例は、本発明の理解を容易にするためのものであり、本発明を限定して解釈するためのものではない。本発明は、その趣旨を逸脱することなく、変更、改良することができる。
【００２１】
（１）第１実施形態
＜透析システムの構成＞
図１は、透析システムの構成の概略を示す図である。図１に示すように、本実施形態の透析システム１はセントラル透析液供給システムであり、透析溶剤溶解装置２と、多人数用透析液供給装置３と、複数の透析用監視装置４Ａ〜４Ｆとによって構成されている。
【００２２】
透析溶剤溶解装置２と多人数用透析液供給装置３とによって構成される透析液供給システム１０は、本実施形態では透析液調整室に設置されている。透析溶剤溶解装置２は、粉末型の透析溶剤（Ａ剤・Ｂ剤）と精製水とを混合して透析液原液（Ａ原液・Ｂ原液）を作成し、多人数用透析液供給装置３に供給する。多人数用透析液供給装置３は、精製水と透析液原液（Ａ原液・Ｂ原液）を混合・調製し透析液を作成し、当該透析液を透析用監視装置４Ａ〜４Ｆそれぞれに供給する。透析溶剤は、複数の電解質及びブドウ糖を含んでおり、例えば粉末状に形成されている。電解質としては、ナトリウムイオン、カリウムイオン、カルシウムイオン、マグネシウムイオン、クロールイオン、重炭酸イオンなどが挙げられる。
【００２３】
透析用監視装置４Ａ〜４Ｆは同じ構成であるため、当該透析用監視装置４Ａについてのみ説明する。透析用監視装置４Ａは、１人の透析患者に割り当てられ、本実施形態では透析室に設置されている。この透析用監視装置４Ａは、透析液供給システム１０から供給される透析液を用いて透析患者から取り出された血液中の老廃物及び電解質を除去し、必要な電解質や糖などを補充し、処理された血液を透析患者に戻す。老廃物としては、尿素窒素、クレアチニン及び尿素を含む尿毒症性物質などが挙げられる。
【００２４】
＜透析用監視装置の構成＞
図２は、透析用監視装置の構成の概略を示す図である。図２に示すように、透析用監視装置４Ａは、血液回路２０、ダイアライザー３０及び糖補充装置４０を主な構成要素として備える。
【００２５】
血液回路２０は、シャント（図示せず）から取り出された血液を通す経路であり、弾性を有するチューブで構成される。この血液回路２０の中途部位にはダイアライザー３０が設けられている。血液回路２０のうち、ダイアライザー３０よりもシャントの入力口側となる動脈側血液回路２０Ａには、血液ポンプ２１及びエアートラップチャンバ２２が設けられている。また、血液回路２０のうち、ダイアライザー３０よりもシャントの出力口側となる静脈側血液回路２０Ｂには、エアートラップチャンバ２３が設けられている。
【００２６】
血液ポンプ２１は、回転ローラ２１Ａで血液回路２０を扱いて血液を血液回路２０に送り込むローラポンプであり、当該回転ローラ２１Ａの回転数に応じた量の血液を血液回路２０に流入する。エアートラップチャンバ２２，２３は、血液中の空気を抜くとともに凝血塊を捕捉する器具である。
【００２７】
エアートラップチャンバ２３とダイアライザー３０との間には、血液回路２０にブドウ糖を注入するための糖注入口２４が設けられており、当該糖注入口２４には糖流入経路２５を介して糖溶液タンク２６が接続される。糖流入経路２５は、糖溶液タンク２６との間の中途部位で分岐しており、当該分岐部位から糖溶液タンク２６に繋がる第１の糖流入経路２５Ａと、当該分岐部位から糖溶液タンク２６に繋がる第２の糖流入経路２５Ｂとを有する。第１の糖流入経路２５Ａにはローラポンプ２７が設けられ、第２の糖流入経路２５Ｂにはシリンジポンプ２８が設けられている。
【００２８】
ローラポンプ２７は、回転ローラ２７Ａで第１の糖流入経路２５Ａを扱いてブドウ糖溶液を血液回路２０に送り込むポンプである。このローラポンプ２７は、回転ローラ２７Ａの回転数に応じた量のブドウ糖溶液を血液回路２０に継続的に流入させる。シリンジポンプ２８は、第２の糖流入経路２５Ｂからシリンダー２８Ａ内に流入するブドウ糖溶液を、当該シリンダー２８Ａに嵌合されるピストン２８Ｂを押圧して血液回路２０に送り込むポンプである。このシリンジポンプ２８は、ピストン２８Ｂ押圧力に応じた量のブドウ糖溶液を血液回路２０に間欠的に流入させる。
【００２９】
ダイアライザー３０は、血液中の老廃物を除去するための透析器であり、透析液を収容する収容空間を有する本体ケース３１と、当該収容空間に配置される複数の半透膜管３２とを有する。
【００３０】
本体ケース３１の入力部では動脈側血液回路２０Ａの一端と本体ケース３１内の各半透膜管３２の一端とが接続され、当該本体ケース３１の出力部では静脈側血液回路２０Ｂの一端と本体ケース３１内の各半透膜管３２の他端とが接続されている。
【００３１】
本体ケース３１の入力部及び出力部以外の部位には、透析液流路３３を介して透析液供給システム１０の多人数用透析液供給装置３（図１）が連結される。この透析液流路３３は透析液が通る経路であり、弾性を有するチューブで構成される。
【００３２】
本体ケース３１の収容空間には、透析液供給システム１０の多人数用透析液供給装置３（図１）で生成される透析液が上流側の透析液流路３３Ａを介して流入する。一方、本体ケース３１の収容空間に配置される各半透膜管３２の管空内には、透析患者の血液が動脈側血液回路２０Ａを介して流入する。
【００３３】
本体ケース３１の収納空間では、各半透膜管３２を介して血液と透析液との間で物質が移動する。具体的には、血液中における尿毒素などの老廃物は、濃度勾配に従い半透膜管３２を透過して透析液中に移動する。一方、血液中における赤血球、白血球、蛋白質などの成分は、半透膜管３２を透過せずに管内を流れる。他方、血液中の電解質は、透析液中のブドウ糖濃度よりも血中のブドウ糖濃度が高い場合には、濃度勾配に従い半透膜管３２を透過して透析液中に移動し、透析液中のブドウ糖濃度よりも血中のブドウ糖濃度が低い場合には、濃度勾配に従い半透膜管３２を透過して血液中に移動する。同様に、血液中のブドウ糖は、透析液中のブドウ糖濃度よりも血中のブドウ糖濃度が高い場合には、濃度勾配に従い半透膜管３２を透過して透析液中に移動し、透析液中のブドウ糖濃度よりも血中のブドウ糖濃度が低い場合には、濃度勾配に従い半透膜管３２を透過して血液中に移動する。
【００３４】
血液から移動した老廃物を含む透析液は、本体ケース３１の収納空間から下流側の透析液流路３３Ｂを介して廃液として排出される。一方、ダイアライザー３０で老廃物が除去された血液は、各半透膜管３２から静脈側血液回路２０Ｂを介して透析患者の血管に流入する。
【００３５】
糖補充装置４０は、ローラポンプ２７又はシリンジポンプ２８を駆動し、糖溶液タンク２６に貯留されるブドウ糖溶液を糖注入口２４から静脈側血液回路２０Ｂに流入させることで、当該静脈側血液回路２０Ｂを流れる血液にブドウ糖を補充する。
【００３６】
＜糖補充装置の構成＞
図３は、糖補充装置４０の構成の概略を示す図である。図３に示すように、糖補充装置４０は、入力部４１、記憶部４２、ポンプ駆動部４３及び制御部４４を含む構成とされる。
【００３７】
入力部４１は、半透膜を隔てて血液側から透析液側にブドウ糖が移動する要因となる情報（以下、糖移動要因情報という）や、入力部４１から静脈側血液回路２０Ｂを流れる血液から測定された実測血糖値などの各種の情報を入力可能な構成とされる。なお、入力部４１は、キーボードやマウス等によって糖移動要因情報を入力可能になっていても良く、患者個人が携帯するＩＣカードと通信することによって糖移動要因情報を入力可能になっていても良い。
【００３８】
この入力部４１は、糖移動要因情報が入力された場合にはその糖移動要因情報を示すデータを制御部４４に与え、実測血糖値が入力された場合にはその実測血糖値を示す実測データを制御部４４に与える。
【００３９】
半透膜を隔てて血液側から透析液側にブドウ糖が移動する要因の１つとして、血液中のブドウ糖と透析液中のブドウ糖との濃度勾配がある。このため本実施形態では、目標値として透析患者の状態に応じて定められる血糖値である目標血糖値と、透析液に含まれるブドウ糖の濃度である透析液ブドウ糖濃度とが糖移動要因情報として採用される。なお、目標血糖値は、最新の糖尿病関連のガイドラインを参考に個々の患者の状態を確認した医師が設定すべきであるが、透析患者が糖尿病の状態である場合には透析直前に測定された血糖値あるいは、過去に実測した患者個人の空腹時血糖値を採用しても良い。また、透析患者が糖尿病の状態でない場合には成人の正常域である空腹時血糖値（例えば、１００ｍｇ／ｄＬ）を目標血糖値として採用しても良い。
【００４０】
また、半透膜を隔てて血液側から透析液側にブドウ糖が移動する要因の１つとして、ダイアライザー３０に流入する血液流量、透析液流量、透析時間がある。血液流量や透析液流量が少ない場合には、半透膜を隔てた血液と透析液との接触機会が減少し、血液中のブドウ糖と透析液中のブドウ糖との濃度勾配が小さくなり、半透膜を隔てて血液側から透析液側又は透析液側から血液側にブドウ糖が移動し難くなる。また、透析時間が短い場合には、半透膜を隔てた血液と透析液との接触機会が減少し、半透膜を隔てた血液側から透析液側又は透析液側から血液側へのブドウ糖の移動できる時間が短くなる。このため本実施形態では、本体ケース３１の収納空間に配置される複数の半透膜管３２の管内を単位時間あたりに流れる血液の液量である血液流量、及び、本体ケース３１の収納空間を単位時間あたりに流れる透析液の液量である透析液流量も糖移動要因情報として採用される。
【００４１】
さらに、本体ケース３１の収納空間に配置される半透膜管３２における半透膜の面積がある。この半透膜の面積が小さいほど、半透膜を隔てた血液と透析液との接触機会が減少し、その半透膜を隔てて血液側から透析液側にブドウ糖が移動し難くなる。このため本実施形態では、本体ケース３１の収納空間に配置される複数の半透膜管３２の総面積である膜面積も糖移動要因情報として採用される。
【００４２】
記憶部４２には、各種のプログラムを格納する第１格納領域と、入力部４１から入力される設定データや、糖移動要因情報を示すデータなどの各種のデータを格納する第２格納領域と、当該プログラムやデータを展開する展開領域とが含まれる。本実施形態の第１格納領域には、糖を補充する処理を実行するための糖補充プログラムが記憶される。また、第２格納領域には、データベースＤＢが構築される。
【００４３】
図４は、データベースＤＢの内容の概略を示す図である。図４に示すように、本実施形態のデータベースＤＢでは、糖移動要因情報の各項目（目標血糖値、透析液ブドウ糖濃度、血液流量、透析液流量及び膜面積）と、消失ブドウ糖量とが関連付けられ、データベースＤＢのフィールドとされる。消失ブドウ糖量は、単位時間あたりに血液から除去される血糖の量である。また、本人における過去の透析治療の履歴、或いは、複数人における過去の透析治療の履歴である履歴値がデータベースＤＢのレコードとされ、各フィールドに対応付けられる。各フィールドに対応する履歴値を示すデータは記憶部４２の第２格納領域に記憶される。なお、複数人の履歴値がデータベースＤＢのレコードとされる場合、当該人は特定の人であっても任意の人であっても良い。
【００４４】
ポンプ駆動部４３は、制御部４４から与えられる命令に基づいて、ローラポンプ２７又はシリンジポンプ２８を駆動する。すなわち、ポンプ駆動部４３は、ローラポンプ２７を駆動させる場合、例えば制御部４４の命令に応じた回転数で回転ローラ２７Ａを駆動する。また、ポンプ駆動部４３は、シリンジポンプ２８を駆動させる場合、例えば制御部４４に応じた押圧量及び押圧間隔でピストン２８Ｂを押圧する。
【００４５】
制御部４４は、記憶部４２の第１格納領域に記憶される各種のプログラムや、当該記憶部４２の第２格納領域に記憶される各種のデータに基づいて糖補充装置４０の制御を司るようになっている。
【００４６】
この制御部４４は、記憶部４２の第１格納領域に記憶される糖補充プログラムを読み出した場合、その読み出した糖補充プログラムを記憶部４２の展開領域に展開する。この場合、制御部４４は、補充量予測部５０及びポンプ制御部６０として機能し、糖を補充する糖補充処理を実行する。
【００４７】
補充量予測部５０は、補充すべきブドウ糖溶液量を予測する機能部であり、消失ブドウ糖量探索部５１と補充量演算部５２とを有する。
【００４８】
消失ブドウ糖量探索部５１は、入力部４１から与えられたデータが示す糖移動要因情報に基づいて消失ブドウ糖量を探索する。本実施形態の場合、消失ブドウ糖量探索部５１は、第１段階として、糖移動要因情報の入力値に最も近似する履歴値をデータベースＤＢから検出する。糖移動要因情報の入力値は、透析治療を受けるべき透析患者における糖移動要因情報（目標血糖値、透析液ブドウ糖濃度、血液流量、透析液流量及び膜面積）であって入力部４１から入力される値である。
【００４９】
具体的には、例えば、入力部４１から入力された糖移動要因情報の入力値と、データベースＤＢにおける糖移動要因情報に対応付けられる履歴値とが、当該糖移動要因情報の項目ごとに比較される。そして、糖移動要因情報の項目ごとに、入力値と履歴値との差が小さいほど高い評価度（点数）が与えられ、当該項目の評価度（点数）の合計値が最も高いレコードが、糖移動要因情報の入力値に最も近似するレコードとされる。入力部４１から入力される糖移動要因情報の入力値が図５に示す入力値とされた場合、図４に示す例では、レコード１が糖移動要因情報の入力値に最も近似する履歴値を有するレコードとなる。
【００５０】
なお、各項目の重要度に応じて、入力値と履歴値との差が小さいほど評価度（点数）を高くする割合が異なっていても良い。例えば、目標血糖値及び透析液ブドウ糖濃度は、血液流量、透析液流量及び膜面積に比べると、半透膜を隔てて血液側から透析液側にブドウ糖が移動する直接的な要因となる。したがって、目標血糖値及び透析液ブドウ糖濃度の項目では、他の項目よりも、入力値と履歴値との差が小さいほど評価度（点数）を高くする割合を大きくすることが可能である。
【００５１】
さらに、目標血糖値と透析液ブドウ糖濃度との差が大きいほど、半透膜を隔てて血液側から透析液側に移動するブドウ糖量が多くなる。したがって、目標血糖値と透析液ブドウ糖濃度との差が糖移動要因情報の項目の１つとして設けられても良く、当該項目では、他の項目よりも、入力値と履歴値との差が小さいほど評価度（点数）を高くする割合を大きくすることが可能である。
【００５２】
消失ブドウ糖量探索部５１は、第２段階として、データベースＤＢから検出した糖移動要因情報に関連付けられる消失ブドウ糖量を認識する。入力部４１から入力される糖移動要因情報の入力値が図５に示す入力値とされた場合、図４に示す例では上述したようにレコード１が糖移動要因情報の入力値に最も近似する履歴値を有するレコードとなる。このため、レコード１の２０ｍｇ／ｍｉｎが消失ブドウ糖量として認識される。この消失ブドウ糖量は、過去の透析治療の履歴であることから、ダイアライザー３０において実際に血液から除去される単位時間あたりのブドウ糖量と概ね近似する傾向になる。
【００５３】
補充量演算部５２は、消失ブドウ糖量探索部５１で探索された消失ブドウ糖量に基づいて、補充すべきブドウ糖溶液量を演算する。具体的には、消失ブドウ糖量探索部５１で探索された消失ブドウ糖量に対して、糖溶液タンク２６に貯留されるブドウ糖溶液のブドウ糖濃度が除算され、補充すべきブドウ糖溶液量が算出される。例えば、消失ブドウ糖量が２０ｍｇ／ｍｉｎであり、糖溶液タンク２６に貯留されるブドウ糖溶液のブドウ糖濃度が５００ｍｇ／ｍＬである場合、補充すべきブドウ糖溶液量は０．０４ｍＬ／ｍｉｎである。
【００５４】
なお、糖溶液タンク２６には、例えば、５００ｍｇ／ｍＬ、２００ｍｇ／ｍＬ及び１００ｍｇ／ｍＬのうちのいずれかのブドウ糖濃度でなるブドウ糖溶液が貯留される。また、糖溶液タンク２６に貯留されるブドウ糖溶液のブドウ糖濃度は、入力部４１から予め入力され、設定データとして記憶部４２に記憶される。
【００５５】
ところで、補充量演算部５２は、消失ブドウ糖量に基づいて補充すべきブドウ糖溶液量を演算した後に、入力部４１から実測血糖値を示す実測データを取得した場合、当該実測血糖値に基づいて補充すべきブドウ糖溶液量を変更する。
【００５６】
具体的には、実測データが示す実測血糖値と目標血糖値との差に対して、血液流量が乗算され、消失ブドウ糖量が再演算される。当該再演算された消失ブドウ糖量に対して、糖溶液タンク２６に貯留されるブドウ糖溶液のブドウ糖濃度が除算され、補充すべきブドウ糖溶液量が算出される。例えば、実測血糖値が１５０ｍｇ／ｄＬ、目標血糖値が２００ｍｇ／ｄＬであり、血液流量が２００ｍＬ／ｍｉｎである場合、消失ブドウ糖量は１００ｍｇ／ｍｉｎである。そして、再演算された消失ブドウ糖量が１００ｍｇ／ｍｉｎであり、糖溶液タンク２６に貯留されるブドウ糖溶液のブドウ糖濃度が５００ｍｇ／ｍＬである場合、補充すべきブドウ糖溶液量は０．２ｍＬ／ｍｉｎである。実測血糖値に基づいて実際の消失ブドウ糖量が演算されるため、より正確な補充すべきブドウ糖溶液量が演算でき、過去の履歴に基づいて補充すべきブドウ糖溶液量が算出される場合に比べて、当該ブドウ糖溶液量が実際に補充すべき真値に近似することになる。
【００５７】
ポンプ制御部６０は、補充量演算部５２で演算されたブドウ糖溶液量のブドウ糖溶液が血液に補充されるように、ローラポンプ２７又はシリンジポンプ２８を制御する。本実施形態の場合、ポンプ制御部６０は、補充量演算部５２で演算されたブドウ糖溶液量に応じて、当該ブドウ糖溶液量のブドウ糖溶液が継続的又は間欠的に補充されるようにローラポンプ２７又はシリンジポンプ２８を制御する。
【００５８】
すなわち、ポンプ制御部６０は、第１段階として、補充量演算部５２で演算された補充すべきブドウ糖溶液量と所定の閾値とを比較する。この閾値は、補充量演算部５２で演算されたブドウ糖溶液量が少量であるか否かを定めるための閾値として入力部４１から予め入力され、設定データとして記憶部４２に記憶される。
【００５９】
補充量演算部５２で演算された補充すべきブドウ糖溶液量が閾値以上である場合、ポンプ制御部６０はローラポンプ２７を駆動すべきポンプとして決定する。これに対して、補充量演算部５２で演算された補充すべきブドウ糖溶液量が閾値未満である場合、ポンプ制御部６０はシリンジポンプ２８を駆動すべきポンプとして決定する。
【００６０】
ポンプ制御部６０は、第２段階として、補充量演算部５２で演算されたブドウ糖溶液量に基づいて駆動すべきポンプの駆動条件を求め、その駆動条件で駆動すべき命令をポンプ駆動部４３に与える。
【００６１】
駆動すべきポンプがローラポンプ２７である場合、ポンプ制御部６０は、例えば、継続的にブドウ糖を補充するための駆動条件として、補充すべきブドウ糖溶液量を所定の期間内で静脈側血液回路２０Ｂに流入させるための回転ローラ２７Ａの回転数を求める。そしてポンプ制御部６０は、求めた回転数で回転ローラ２７Ａを回転させるべき命令をポンプ駆動部４３に与える。この結果、ポンプ駆動部４３によってローラポンプ２７の回転ローラ２７Ａが所定の回転数で駆動され、補充量演算部５２で演算された量のブドウ糖が糖注入口２４から静脈側血液回路２０Ｂを流れる血液に補充される。
【００６２】
一方、駆動すべきポンプがシリンジポンプ２８である場合、ポンプ制御部６０は、例えば、間欠的にブドウ糖を補充するための駆動条件として、補充すべきブドウ糖溶液量を所定の押圧回数で静脈側血液回路２０Ｂに流入させるための押圧量及び押圧間隔を求める。そしてポンプ制御部６０は、求めた押圧量及び押圧間隔でピストン２８Ｂを押圧すべき命令をポンプ駆動部４３に与える。この結果、ポンプ駆動部４３によってシリンジポンプ２８のピストン２８Ｂが所定の押圧量及び押圧間隔で駆動され、補充量演算部５２で演算された量のブドウ糖が糖注入口２４から静脈側血液回路２０Ｂを流れる血液に補充される。
【００６３】
なお、ポンプ制御部６０は、補充量演算部５２で補充すべきブドウ糖溶液量が変更された場合、当該ブドウ糖溶液量に基づいて上述した場合と同様にして駆動条件を求め、その駆動条件でローラポンプ２７又はシリンジポンプ２８を駆動させる。
【００６４】
このような補充量予測部５０及びポンプ制御部６０として制御部４４が機能し、糖補充処理が実行される。本実施形態では、血糖値の実測がないことを前提とする第１の糖補充処理（通常モード）と、当該血糖値の実測があった場合も対応可能な第２の糖補充処理（実測対応可能モード）とが用意されている。第１の糖補充処理と第２の糖補充処理とのいずれを実行すべきかについては、例えば入力部４１から指定され、当該指定された糖補充処理が制御部４４によって実行される。
【００６５】
＜第１の糖補充処理による糖補充方法＞
図６は、第１の糖補充処理（通常モード）による糖補充方法を示すフローチャートである。図６に示すように、制御部４４は、例えば透析用監視装置４Ａに電源が投入された時点を契機として第１の糖補充処理を開始し、入力待機ステップＳＰ１に進む。
【００６６】
制御部４４は、入力待機ステップＳＰ１では、入力部４１から糖移動要因情報（目標血糖値、透析液ブドウ糖濃度、血液流量、透析液流量及び膜面積）の入力を待機する。また制御部４４は、糖移動要因情報を示すデータを取得した場合には液量予測ステップＳＰ２の探索ステップＳＰ２Ａに進む。
【００６７】
制御部４４は、液量予測ステップＳＰ２の探索ステップＳＰ２Ａでは、入力待機ステップＳＰ１を経て取得したデータが示す糖移動要因情報の入力値に最も近似する履歴値をデータベースＤＢから検出する。そして制御部４４は、データベースＤＢから検出した履歴値に関連付けられる消失ブドウ糖量を探索した後、液量予測ステップＳＰ２の演算ステップＳＰ２Ｂに進む。
【００６８】
制御部４４は、液量予測ステップＳＰ２の演算ステップＳＰ２Ｂでは、当該液量予測ステップＳＰ２の探索ステップＳＰ２Ａで探索した消失ブドウ糖量に基づいて補充すべきブドウ糖溶液量を演算し、その後、制御ステップＳＰ３に進む。
【００６９】
制御部４４は、制御ステップＳＰ３では、液量予測ステップＳＰ２の演算ステップＳＰ２Ｂで演算した補充すべきブドウ糖溶液量に基づいてローラポンプ２７又はシリンジポンプ２８の駆動条件を求める。そして制御部４４は、ポンプ駆動部４３を通じて、求めた駆動条件でローラポンプ２７又はシリンジポンプ２８を制御し始めることで、糖注入口２４から静脈側血液回路２０Ｂを流れる血液にブドウ糖を補充させ始め、補充確認ステップＳＰ４に進む。
【００７０】
制御部４４は、補充確認ステップＳＰ４では、液量予測ステップＳＰ２の演算ステップＳＰ２Ｂで演算したブドウ糖溶液量のブドウ糖を補充し終えたか否かを確認する。具体的には、例えば、補充すべきブドウ糖溶液量（０．２ｍＬ／ｍｉｎ）に、透析時間（４ｈｒ＜２４０ｍｉｎ＞）が加算され、当該加算結果が、１回の透析治療で補充すべきブドウ糖溶液量（４８ｍＬ）に達していれば補充し終えているもの認識される。なお、透析時間は、透析治療を継続すべき時間であり、患者個人ごとに定められる。この透析時間は、例えば入力部４１から入力され、記憶部４２の第２格納領域に記憶される。
【００７１】
ここで、制御部４４は、ブドウ糖を補充し終えていないと認識した場合、当該ブドウ糖を補充し終えたと認識するまで、所定間隔ごとに補充をし終えたか否かを確認する。これに対し、制御部４４は、ブドウ糖を補充し終えていると認識した場合、制御停止ステップＳＰ５に進む。
【００７２】
制御部４４は、制御停止ステップＳＰ５では、ポンプ駆動部４３を通じて、ローラポンプ２７又はシリンジポンプ２８の制御を停止させることで、糖注入口２４から静脈側血液回路２０Ｂを流れる血液にブドウ糖を補充させることを停止させ、第１の糖補充処理を終了する。
【００７３】
このように制御部４４は、データベースＤＢから探索した消失ブドウ糖値が示す血糖値に基づいて演算した量のブドウ糖を、静脈側血液回路２０Ｂを流れる血液に補充するようになっている。
【００７４】
＜第２の糖補充処理による糖補充方法＞
図７は、第２の糖補充処理（実測対応可能モード）よる糖補充方法を示すフローチャートである。図７に示すように、第２の糖補充処理による糖補充方法では、上記第１の糖補充処理による糖補充方法における制御ステップＳＰ３と補充確認ステップＳＰ４との間に新たなステップが設けられ、その他のステップは上記第１の糖補充処理による糖補充方法と同様である。このため、第２の糖補充処理による糖補充方法については、新たなステップを主として説明する。
【００７５】
すなわち、制御部４４は、制御ステップＳＰ３において糖注入口２４から静脈側血液回路２０Ｂを流れる血液にブドウ糖を補充させ始めた後、実測確認ステップＳＰ１１に進む。
【００７６】
制御部４４は、実測確認ステップＳＰ１１では、入力部４１から静脈側血液回路２０Ｂを流れる血液から測定された実測血糖値の入力があったか否かを確認する。ここで、制御部４４は、実測血糖値の入力に応じて入力部４１から与えられる実測データを取得していない場合には、補充確認ステップＳＰ４に進む。
【００７７】
一方、実測血糖値の入力に応じて入力部４１から与えられる実測データ取得している場合、このことは、原則、医療従事者の判断で血糖値の実測があったことを意味する。この場合、制御部４４は、再演算ステップＳＰ１２に進んで、当該実測データが示す血糖値に基づいて補充すべきブドウ糖溶液量を再演算した後、変更ステップＳＰ１３に進む。
【００７８】
制御部４４は、変更ステップＳＰ１３では、再演算ステップＳＰ１２で再演算した補充すべきブドウ糖溶液量に基づいてローラポンプ２７又はシリンジポンプ２８の駆動条件を変更する。そして制御部４４は、ポンプ駆動部４３を通じて、変更した駆動条件でローラポンプ２７又はシリンジポンプ２８の駆動を開始させ、補充確認ステップＳＰ４に進む。
【００７９】
なお、上記実測確認ステップＳＰ１１で入力部４１から与えられる実測データが取得されている場合、制御部４４は、補充確認ステップＳＰ４では、再演算ステップＳＰ１２で演算したブドウ糖溶液量のブドウ糖を補充し終えたか否かを確認する。一方、実測確認ステップＳＰ１１で入力部４１から与えられる実測データが取得されていない場合、制御部４４は、補充確認ステップＳＰ４では、液量予測ステップＳＰ２の演算ステップＳＰ２Ｂで演算したブドウ糖溶液量のブドウ糖を補充し終えたか否かを確認するようになっている。
【００８０】
また、制御部４４は、補充確認ステップＳＰ４においてブドウ糖を補充し終えていないと認識した場合には実測確認ステップＳＰ１１に戻る。一方、制御部４４は、補充確認ステップＳＰ４においてブドウ糖を補充し終えていると認識した場合には、制御停止ステップＳＰ５に進んでブドウ糖を補充させることを停止させた後に、第２の糖補充処理を終了する。
【００８１】
このように制御部４４は、実測データの入力があった場合には、データベースＤＢから探索した消失ブドウ糖値から演算した量から、実測データが示す血糖値に基づいて演算した量に補充すべきブドウ糖量を変更するようになっている。
【００８２】
＜小括＞
以上のとおり、本実施形態の糖補充装置４０は、入力部４１から入力される目標血糖値、透析液糖濃度及び血液流量に基づいて、当該透析患者から取り出され血液回路２０を流れる血液に補充すべきブドウ糖溶液量を予測する。このため、糖補充装置４０では、透析患者から採血する機会を抑制することができ、当該採血に起因する透析患者の負担を低減することができる。
【００８３】
ところで、入力部４１から入力される目標血糖値は透析患者の状態に応じて定められる血糖値である。このため、糖補充装置４０は、透析液糖濃度が複数人の透析患者に共通であるか否かにかかわらず、目標血糖値、透析液糖濃度及び血液流量に基づいて透析患者個人の血液と透析液との糖の濃度差を知ることができる。したがって、糖補充装置４０は、透析患者個人の状態に応じて補充すべきブドウ糖溶液量を適切に予測し、その量のブドウ糖溶液を静脈側血液回路２０Ｂに送り込むことができる。
【００８４】
また、本実施形態の糖補充装置４０では、血液回路２０に設けられるダイアライザー３０の下流側を流れる血液から測定された実測血糖値を取得した場合、当該実測血糖値、透析液糖濃度及び血液流量に基づいて、補充すべきブドウ糖溶液量が変更される。
【００８５】
このため、データベースＤＢを用いて過去の履歴に基づいて補充すべきブドウ糖溶液量が算出される場合に比べて、当該ブドウ糖溶液量が実際に補充すべき真値に近似させることができる。
【００８６】
なお、実測血糖値を取得するために透析患者は採血することになるが、既に透析患者の状態に応じて定められる血糖値である目標血糖値が得られた状態にあるため、ダイアライザー３０を通過する前後の血液のいずれか一方の採血で良い。また、医療従事者が患者の容態を確認し必要に応じて測定を開始するため、不必要な採血は行われない。したがって、透析患者に過度の採血を強いることは回避される。
【００８７】
また、本実施形態の糖補充装置４０では、補充すべきブドウ糖溶液量が閾値以上である場合には、補充すべきブドウ糖溶液量のブドウ糖溶液が継続的に補充されるようにローラポンプ２７を制御する。一方、糖補充装置４０では、補充すべきブドウ糖溶液量が閾値未満である場合には、補充すべきブドウ糖溶液量のブドウ糖溶液が間欠的に補充されるようにシリンジポンプ２８を制御する。
【００８８】
このように溶液量に多少に応じて、継続駆動・間欠駆動を切り替えることができるため、ブドウ糖溶液量を単位時間当たりより均一に細かな調整を行いながらブドウ糖を補充することができる。
【００８９】
なお、上記第１実施形態では、実測血糖値が入力部４１から取得された。しかしながら、実測血糖値は、図８に示すように、血液回路２０上の採血部７１に接続された血糖値測定部７２から取得しても良い。図８に示す透析用監視装置では、上記実施形態の透析用監視装置４Ａの構成要素に採血部７１及び血糖値測定部７２が新たに設けられている。
採血部７１は、糖注入口２４とシャント（図示せず）との間に設けられており、当該糖注入口２４からシャントに向かって静脈側血液回路２０Ｂを流れる血液の一部を採取し、血糖値測定部７２に与える。
血糖値測定部７２は、採血部７１から与えられる血液の血糖値を測定し、その測定結果として得られる実測血糖値を示す実測データを糖補充装置４０における制御部４４に与える。なお、制御部４４の補充量予測部５０では、血糖値測定部７２から与えられる実測データに基づいて補充すべきブドウ糖溶液量が変更される。すなわち、図８に示す透析用監視装置では、図７に示す第２の糖補充処理（実測対応可能モード）よる糖補充方法が採用される。
このように実測血糖値が血液回路２０上の採血部７１に接続された血糖値測定部７２から取得された場合、入力部４１から取得される場合に比べると、当該実測測定値を測定してから糖補充装置４０に取得するまでに人が介在することがない。このため、ヒューマンエラーが回避され、その分だけ糖補充装置４０における補充量予測部５０での予測精度を向上させることができる。また、図８に示す透析用監視装置では、糖注入口２４とシャント（図示せず）との間に採血部７１が設けられているため、血糖値測定部７２に対して、ブドウ糖液を補充した補正後となる実際の血糖値を測定させることができる。
なお、採血部７１は、糖注入口２４とダイアライザー３０との間に設けられていても良い。糖注入口２４とダイアライザー３０との間に採血部７１が設けられた場合、当該糖注入口２４から静脈側血液回路２０Ｂを流れる血液に補充されるブドウ糖溶液中のブドウ糖が血糖値に反映されないことになる。このため、糖注入口２４とダイアライザー３０との間に採血部７１が設けられた場合には、血糖値測定部７２に対して、透析患者が有する真の血糖値により近似する血糖値を測定させることができる。
【００９０】
また、上記第１実施形態では、ポンプ制御部６０が、補充量演算部５２で演算されたブドウ糖溶液量に応じて、当該ブドウ糖溶液量のブドウ糖溶液が継続的又は間欠的に補充されるようにローラポンプ２７又はシリンジポンプ２８を制御した。しかしながら、ポンプ制御部６０は、補充量演算部５２で演算されたブドウ糖溶液量にかかわらず、当該ブドウ糖溶液量のブドウ糖溶液が継続的に補充されるようにローラポンプ２７だけを制御するようにしても良い。また、ポンプ制御部６０は、補充量演算部５２で演算されたブドウ糖溶液量にかかわらず、当該ブドウ糖溶液量のブドウ糖溶液が間欠的に補充されるようにシリンジポンプ２８だけを制御するようにしても良い。
【００９１】
（２）第２実施形態
次に、第２実施形態として透析液供給システムの一部の構成を説明する。なお、上記において説明した構成と同様の構成については同一の符号を付し、特に説明する場合を除き、重複する説明は省略する。
【００９２】
＜透析用監視装置の構成＞
図９は、第２実施形態における透析用監視装置の構成の概略を示す図である。図９に示すように、本実施形態の透析用監視装置４Ａでは、上記第１実施形態の糖流入経路２５に代えて糖流入経路１４２が採用され、上記第１実施形態の糖補充装置４０に代えて糖補充装置１４０が採用される。
【００９３】
糖流入経路１４２は、糖溶液タンク２６に貯留されるブドウ糖溶液を静脈側血液回路２０Ｂに供給する経路又は上流側の透析液流路３３Ａに供給する経路であり、その糖流入経路１４２の途中で分岐している。糖流入経路１４２の一端は糖溶液タンク２６に接続され、分岐部位１４２Ｐから静脈側血液回路２０Ｂ側に分岐する血液経路１４２Ａの端部は静脈側血液回路２０Ｂの糖注入口２４に接続される。また、分岐部位１４２Ｐから上流側の透析液流路３３Ａ側に分岐する透析液経路１４２Ｂの端部は上流側の透析液流路３３Ａの接続ポート３４に接続される。なお、接続ポート３４は、液体等の出し入れ用としてチューブ等を必要に応じて接続可能なポートであり、本実施形態の透析液経路１４２Ｂが接続された場合には糖注入口となる。
【００９４】
血液経路１４２Ａには第１開閉弁１４５Ａが設けられ、透析液経路１４２Ｂには第２開閉弁１４５Ｂが設けられている。また、分岐部位１４２Ｐと糖溶液タンク２６との間の分岐前経路１４２Ｃにはローラポンプ２７が設けられている。
【００９５】
＜糖補充装置の構成＞
図１０は、第２実施形態における糖補充装置の機能的な構成の概略を示す図である。図１０に示すように、糖補充装置１４０では、上記第１実施形態の制御部４４に代えて制御部１４４が採用されている。この制御部１４４は、上記第１実施形態の消失ブドウ糖量探索部５１と、上記第１実施形態の補充量演算部５２に代わる補充量演算部１５２と、ポンプ制御部６０に代わるポンプ制御部１６０とに加え、経路決定部８０及び弁制御部９０を新たに有している。
【００９６】
経路決定部８０は、記憶部４２に記憶される設定データに基づいて、糖溶液タンク２６に貯留されるブドウ糖溶液のブドウ糖濃度と規定濃度範囲とを認識し、そのブドウ糖濃度が規定濃度範囲内であるか否かを判別する。
【００９７】
規定濃度範囲は、血液及び血管に与える影響の程度が小さい濃度の範囲として規定されるものであり、例えば、人体に許容しやすい浸透圧（例えば、浸透圧比０．５〜２．０程度）及び投与速度などを参考に設定される。なお、規定濃度範囲は、入力部４１から予め入力され、設定データとして記憶部４２に記憶される。また、ブドウ糖濃度は、上述したように、入力部４１から予め入力され、設定データとして記憶部４２に記憶される。
【００９８】
ここで、糖溶液タンク２６に貯留されるブドウ糖溶液のブドウ糖濃度が規定濃度範囲内である場合、そのブドウ糖溶液を静脈側血液回路２０Ｂから流入させても、血液及び血管に与える影響の程度が小さいことを意味する。この場合、経路決定部８０は、糖溶液タンク２６に貯留されるブドウ糖溶液を流入させる経路として、血液経路１４２Ａを通じて静脈側血液回路２０Ｂに流入させる血液経路１４２Ａを決定する。
【００９９】
これに対して、糖溶液タンク２６に貯留されるブドウ糖溶液のブドウ糖濃度が規定濃度範囲外である場合、そのブドウ糖溶液を静脈側血液回路２０Ｂから流入させると、血液及び血管に与える影響の程度が大きいことを意味する。この場合、経路決定部８０は、糖溶液タンク２６に貯留されるブドウ糖溶液を流入させる経路として、透析液経路１４２Ｂを通じて透析液流路３３Ａに流入させる透析液経路１４２Ｂを決定する。
【０１００】
補充量演算部１５２は、消失ブドウ糖量探索部５１で探索された消失ブドウ糖量と、経路決定部８０で決定される経路とに基づいて、補充すべきブドウ糖溶液量を演算するようになっている。
【０１０１】
具体的には、例えば、消失ブドウ糖量探索部５１で探索された消失ブドウ糖量に対して、糖溶液タンク２６に貯留されるブドウ糖溶液のブドウ糖濃度が除算され、ブドウ糖溶液量が暫定的に算出される。ここで、経路決定部８０で決定される経路が血液経路１４２Ａである場合、暫定的に算出されたブドウ糖溶液量が、補充すべきブドウ糖溶液量として決定される。
【０１０２】
一方、経路決定部８０で決定される経路が透析液経路１４２Ｂである場合、当該経路が血液経路１４２Ａである場合に比べてブドウ糖溶液量を多くする必要がある。この理由としては、透析液経路１４２Ｂではダイアライザー３０を介して間接的にブドウ糖溶液に含まれるブドウ糖が血液に与えられるのに対し、血液経路１４２Ａではダイアライザー３０を介さずに直接的にブドウ糖溶液に含まれるブドウ糖が血液に与えられるからである。したがって、経路決定部８０で決定される経路が透析液経路１４２Ｂである場合、暫定的に算出されたブドウ糖溶液量に対して規定値が乗算されることで暫定的なブドウ糖溶液量が補正され、この補正結果として得られるブドウ糖溶液量が、補充すべきブドウ糖溶液量とされる。なお、暫定的なブドウ糖溶液量に乗算すべき規定値は、例えば、ブドウ糖溶液量に対して１．０１〜１．３０倍程度とされる。
【０１０３】
ポンプ制御部１６０は、補充量演算部１５２で演算されたブドウ糖溶液量に基づいてローラポンプ２７の駆動条件を求め、その駆動条件で駆動すべき命令をポンプ駆動部４３に与える。このポンプ制御部１６０は、補充量演算部５２で演算された補充すべきブドウ糖溶液量に応じて駆動すべきポンプを決定することなく、ローラポンプ２７の駆動条件を求めている点で、第１実施形態のポンプ制御部６０と相違している。
【０１０４】
弁制御部９０は、糖溶液タンク２６に貯留されるブドウ糖溶液が経路決定部８０で決定される経路に送り込まれるよう、第１開閉弁１４５Ａ及びは第２開閉弁１４５Ｂを制御する。
【０１０５】
すなわち、経路決定部８０で決定される経路が血液経路１４２Ａである場合、弁制御部９０は、第１開閉弁１４５Ａを開放させるとともに第２開閉弁１４５Ｂを閉塞させる。この場合、糖溶液タンク２６に貯留されるブドウ糖溶液は、血液経路１４２Ａを通じて糖注入口２４から静脈側血液回路２０Ｂに送り込まれる。
【０１０６】
一方、経路決定部８０で決定される経路が透析液経路１４２Ｂである場合、弁制御部９０は、第１開閉弁１４５Ａを閉塞させるとともに第２開閉弁１４５Ｂを開放させる。この場合、糖溶液タンク２６に貯留されるブドウ糖溶液は、透析液経路１４２Ｂを通じて接続ポート３４から透析液流路３３Ａに送り込まれる。
【０１０７】
このように制御部１４４は、糖溶液タンク２６に貯留されるブドウ糖溶液のブドウ糖濃度に応じて、そのブドウ糖溶液の送り先を血液経路１４２Ａ又は透析液経路１４２Ｂに切り替えるようになっている。
【０１０８】
＜糖補充方法＞
図１１は、第２実施形態における糖補充方法を示すフローチャートである。図１１に示すように、第２実施形態における糖補充方法では、上記第１実施形態における第１の糖補充方法の液量予測ステップＳＰ２に新たなステップが設けられ、制御ステップＳＰ３が制御ステップＳＰ３０に代わる。その他のステップは上記第１実施形態における第１の糖補充方法と同様である。このため、第２実施形態における糖補充方法については、液量予測ステップＳＰ２及び制御ステップＳＰ３０を主として説明する。
【０１０９】
すなわち、制御部１４４は、液量予測ステップＳＰ２の探索ステップＳＰ２Ａで消失ブドウ糖量を探索した場合、液量予測ステップＳＰ２の暫定演算ステップＳＰ２Ｃに進む。
【０１１０】
制御部１４４は、暫定演算ステップＳＰ２Ｃでは、探索ステップＳＰ２Ａで探索した消失ブドウ糖量に基づいてブドウ糖溶液量を暫定的に演算する。例えば、制御部１４４は、消失ブドウ糖量を、糖溶液タンク２６に貯留されるブドウ糖溶液のブドウ糖濃度で除算することで暫定的なブドウ糖溶液量を算出し、濃度確認ステップＳＰ２Ｄに進む。
【０１１１】
制御部１４４は、濃度確認ステップＳＰ２Ｄでは、糖溶液タンク２６に貯留されるブドウ糖溶液のブドウ糖濃度が規定濃度範囲内であるか否かを確認する。ここで、糖溶液タンク２６に貯留されるブドウ糖溶液のブドウ糖濃度が規定濃度範囲内にある場合、制御部１４４は、暫定演算ステップＳＰ２Ｃで暫定的に演算したブドウ糖溶液量を、補充すべきブドウ糖溶液量として決定し、制御ステップＳＰ３０に進む。
【０１１２】
これに対して、糖溶液タンク２６に貯留されるブドウ糖溶液のブドウ糖濃度が規定濃度範囲外である場合、制御部１４４は、補正ステップＳＰ２Ｅに進んで、暫定演算ステップＳＰ２Ｃで暫定的に算出したブドウ糖溶液量を補正する。例えば、制御部１４４は、暫定演算ステップＳＰ２Ｃで暫定的に算出したブドウ糖溶液量に規定値を乗算することでブドウ糖溶液量を補正する。そして制御部１４４は、補正したブドウ糖溶液量を、補充すべきブドウ糖溶液量として決定し、制御ステップＳＰ３０に進む。
【０１１３】
制御部１４４は、制御ステップＳＰ３０では、濃度確認ステップＳＰ２Ｄにおける確認内容に基づいて、糖溶液タンク２６に貯留されるブドウ糖溶液を流入させる経路が血液経路１４２Ａ又は透析液経路１４２Ｂとなるように第１開閉弁１４５Ａ及び第２開閉弁１４５Ｂを制御する。すなわち、糖溶液タンク２６に貯留されるブドウ糖溶液のブドウ糖濃度が規定濃度範囲内にある場合、制御部１４４は、第１開閉弁１４５Ａを開放させるとともに第２開閉弁１４５Ｂを閉塞させる。これに対し、糖溶液タンク２６に貯留されるブドウ糖溶液のブドウ糖濃度が規定濃度範囲外である場合、制御部１４４は、第１開閉弁１４５Ａを閉塞させるとともに第２開閉弁１４５Ｂを開放させる。
【０１１４】
また、制御部１４４は、濃度確認ステップＳＰ２Ｄで決定した補充すべきブドウ糖溶液量に基づいてローラポンプ２７の駆動条件を求め、その求めた駆動条件でローラポンプ２７を制御し始め、補充確認ステップＳＰ４に進む。
【０１１５】
制御部１４４は、補充確認ステップＳＰ４では、濃度確認ステップＳＰ２Ｄで決定されたブドウ糖溶液量を補充し終えたと認識するまでローラポンプ２７を制御し続ける。制御部１４４は、濃度確認ステップＳＰ２Ｄで決定されたブドウ糖溶液量を補充し終えたことを認識すると、制御停止ステップＳＰ５に進んでローラポンプ２７の制御を停止させ、糖補充処理を終了する。
【０１１６】
＜小括＞
以上のとおり、本実施形態の糖補充装置１４０は、補充すべきブドウ糖溶液量のブドウ糖濃度に応じて、ポンプ制御部１６０により送られるブドウ糖溶液の送り先を、静脈側血液回路２０Ｂ又は上流側の透析液流路３３Ａのいずれかに切り替える経路決定部８０を備える。
【０１１７】
このため、糖溶液タンク２６に貯留されたブドウ糖溶液の濃度及び投与速度に応じた安全な投与方法でブドウ糖溶液を投与することができ、患者に安全な補充液の追加が実現される。また、人体の血液及び血管に与える影響の程度が小さい最適な投与方法を自動的に選択されるため、医療従事者の判断の負担を軽減することができる。
【０１１８】
なお、上記第２実施形態では、糖溶液タンク２６からブドウ糖溶液を送り出すポンプとしてローラポンプ２７が採用された。しかしながら、ローラポンプ２７に代えてシリンジポンプ２８が採用されても良い。また、上記第１実施形態のようにローラポンプ２７及びシリンジポンプ２８の双方が採用されても良い。ローラポンプ２７及びシリンジポンプ２８の双方を採用する場合、第２実施形態における分岐前経路１４２Ｃが第１実施形態の第１の糖流入経路２５Ａ及び第２の糖流入経路２５Ｂとされ、第１の糖流入経路２５Ａにローラポンプ２７が設けられ、第２の糖流入経路２５Ｂにシリンジポンプ２８が設けられる。またこの場合、図７に示す第２の糖補充方法（実測対応可能モード）が採用可能である。ただし、図７に示す液量予測ステップＳＰ２（ＳＰ２Ａ及びＳＰ２Ｂ）が図１１に示す液量予測ステップＳＰ２（ＳＰ２Ａ、ＳＰ２Ｃ、ＳＰ２Ｄ及びＳＰ２Ｅ）に置き換えられ、図７に示す制御ステップＳＰ３が図１０に示す制御ステップＳＰ３０に置き換えられる。
【０１１９】
（３）第３実施形態
次に、第３実施形態として透析液供給システムの一部の構成を説明する。なお、上記において説明した構成と同様の構成については同一の符号を付し、特に説明する場合を除き、重複する説明は省略する。
【０１２０】
＜透析用監視装置の構成＞
図１２は、第３実施形態における透析用監視装置の構成の概略を示す図である。図１２に示すように、上記第１実施形態の糖流入経路２５に代えて糖流入経路２４５が採用され、糖補充装置１４０に代えて糖補充装置２４０が採用される。
【０１２１】
糖流入経路２４５は、糖溶液タンク２６に貯留されるブドウ糖溶液を静脈側血液回路２０Ｂに供給する経路であり、未分岐の経路とされる。この糖流入経路２４５の途中にはローラポンプ２７が設けられる。また、糖流入経路２４５には、濃度調整用タンク２４１及び濃度調整用ポンプ２４２が新たに設けられる。
【０１２２】
濃度調整用タンク２４１は、糖溶液タンク２６に貯留されるブドウ糖溶液のブドウ糖濃度を調整するためのタンクであり、糖流入経路２４５における糖溶液タンク２６とローラポンプ２７との間に設けられる。この濃度調整用タンク２４１には、精製水を流入させる管である水流入管２５１が接続され、水流入管２５１には開閉弁２５２が設けられている。この開閉弁２５２が開放状態にある場合、水流入管２５１を通じて精製水が濃度調整用タンク２４１内に流入される。
【０１２３】
濃度調整用ポンプ２４２は、糖溶液タンク２６に貯留されるブドウ糖溶液を濃度調整用タンク２４１に送るポンプであり、糖流入経路２４５における糖溶液タンク２６と濃度調整用タンク２４１との間に設けられる。この濃度調整用ポンプ２４２は、例えばローラポンプとされる。
【０１２４】
＜糖補充装置の構成＞
図１３は、第３実施形態における糖補充装置の機能的な構成の概略を示す図である。図１３に示すように、本実施形態の糖補充装置２４０では、上記第１実施形態の制御部４４に代えて制御部２４４が採用されている。この制御部２４４は、上記第１実施形態の補充量予測部５０及び上記第２実施形態のポンプ制御部１６０に加え、濃度調整部１００を新たに有している。
【０１２５】
濃度調整部１００は、記憶部４２に記憶される設定データに基づいて、糖溶液タンク２６に貯留されるブドウ糖溶液のブドウ糖濃度と規定濃度範囲とを認識し、そのブドウ糖濃度が規定濃度範囲内であるか否かを判別する。
【０１２６】
規定濃度範囲は、上記第２実施形態と同様に、血液及び血管に与える影響の程度が小さい濃度の範囲として規定され、例えば、人体に許容しやすい浸透圧（例えば、浸透圧比０．５〜２．０程度）及び投与速度などを参考に設定される。
【０１２７】
ここで、糖溶液タンク２６に貯留されるブドウ糖溶液のブドウ糖濃度が規定濃度範囲内である場合、そのブドウ糖溶液を静脈側血液回路２０Ｂから流入させても、血液及び血管に与える影響の程度が小さいことを意味する。この場合、濃度調整部１００は、開閉弁２５２を閉塞させた状態で濃度調整用ポンプ２４２を制御し、補充量演算部５２で演算されたブドウ糖溶液量のブドウ糖溶液を糖溶液タンク２６から濃度調整用タンク２４１に送り込ませる。この濃度調整用タンク２４１に送り込まれたブドウ糖溶液は、濃度調整を受けずにローラポンプ２７によって糖注入口２４から静脈側血液回路２０Ｂに送り込まれる。
【０１２８】
これに対して、糖溶液タンク２６に貯留されるブドウ糖溶液のブドウ糖濃度が規定濃度範囲外である場合、そのブドウ糖溶液を静脈側血液回路２０Ｂから流入させると、血液及び血管に与える影響の程度が大きいことを意味する。この場合、濃度調整部１００は、濃度調整用ポンプ２４２を制御し、補充量演算部５２で演算されたブドウ糖溶液量のブドウ糖溶液を糖溶液タンク２６から濃度調整用タンク２４１に送り込ませる。またこの場合、濃度調整部１００は、補充量演算部５２で演算されたブドウ糖溶液量のブドウ糖溶液のブドウ糖濃度を規定濃度範囲にするために要する精製水量を演算し、その精製水量の精製水が濃度調整用タンク２４１に貯留されるまで開閉弁２５２を開放する。例えば、浸透圧比が約２０であるブドウ糖溶液が糖溶液タンク２６に１００ｍLだけ送り込まれる場合、浸透圧比が約２になるよう開閉弁２５２が開放され、当該ブドウ糖溶液は１０００ｍLまで濃度調整される。このように濃度調整されたブドウ糖溶液のうち補充量演算部５２で演算されたブドウ糖溶液量のブドウ糖溶液は、ローラポンプ２７によって糖注入口２４から静脈側血液回路２０Ｂに送り込まれる。なお、静脈側血液回路２０Ｂに送り込まれずに濃度調整用タンク２４１に残ったブドウ糖溶液は、濃度調整用タンク２４１の排液口を介して濃度調整用タンク２４１から排出される。
【０１２９】
＜糖補充方法＞
図１４は、第３実施形態における糖補充方法を示すフローチャートである。図１４に示すように、第３実施形態における糖補充方法では、上記第１実施形態における第１の糖補充方法の液量予測ステップＳＰ２と制御ステップＳＰ３との間に新たなステップが設けられる。その他のステップは上記第１実施形態における糖補充方法と同様である。このため、第３実施形態における糖補充方法については、新たなステップを主として説明する。
【０１３０】
すなわち、制御部２４４は、演算ステップＳＰ２Ｂにおいて探索ステップＳＰ２Ａで探索した消失ブドウ糖量に基づいて補充すべきブドウ糖溶液量を演算した後、濃度確認ステップＳＰ４０に進む。
【０１３１】
制御部２４４は、濃度確認ステップＳＰ４０では、糖溶液タンク２６に貯留されるブドウ糖溶液のブドウ糖濃度が規定濃度範囲内であるか否かを確認する。ここで、糖溶液タンク２６に貯留されるブドウ糖溶液のブドウ糖濃度が規定濃度範囲内にある場合、制御部２４４は、濃度調整ステップＳＰ５０を経ずに制御ステップＳＰ３に進む。
【０１３２】
これに対して、糖溶液タンク２６に貯留されるブドウ糖溶液のブドウ糖濃度が規定濃度範囲外である場合、制御部２４４は、濃度調整ステップＳＰ５０に進んで、糖溶液タンク２６に貯留されるブドウ糖溶液のブドウ糖濃度を濃度調整用タンク２４１で調整する。すなわち、制御部２４４は、補充量演算部５２で演算されたブドウ糖溶液量のブドウ糖溶液のブドウ糖濃度を規定濃度範囲にするために要する精製水量が濃度調整用タンク２４１に貯留されるまで開閉弁２５２を開放させる。また制御部２４４は、濃度調整用ポンプ２４２によって補充量演算部５２で演算されたブドウ糖溶液量のブドウ糖溶液を糖溶液タンク２６から濃度調整用タンク２４１に送り込ませた後、制御ステップＳＰ３に進む。
【０１３３】
制御部２４４は、制御ステップＳＰ３では、液量予測ステップＳＰ２の演算ステップＳＰ２Ｂで演算した補充すべきブドウ糖溶液量に応じた駆動条件でローラポンプ２７を制御し始めることで、濃度調整用ポンプ２４２からブドウ糖溶液を送り込ませ、補充確認ステップＳＰ４に進む。
【０１３４】
制御部２４４は、補充確認ステップＳＰ４では、演算ステップＳＰ２Ｂで演算したブドウ糖溶液量を補充し終えたと認識するまでローラポンプ２７を制御し続ける。制御部２４４は、演算ステップＳＰ２Ｂで演算したブドウ糖溶液量を補充し終えたことを認識すると、制御停止ステップＳＰ５に進んでローラポンプ２７の制御を停止させ、糖補充処理を終了する。
【０１３５】
＜小括＞
以上のとおり、本実施形態の糖補充装置２４０は、糖溶液タンク２６から送り出されるブドウ糖溶液のブドウ糖濃度が規定濃度範囲となるように、その糖溶液タンク２６から送り出されるブドウ糖濃度を調整する濃度調整部１００を備える。
【０１３６】
このため、糖溶液タンク２６に貯留されたブドウ糖溶液の濃度どのような濃度の溶液であっても、被験者の特性に合わせた浸透圧比に調整して投与することができ、患者に安全な補充液の追加が実現され、医療従事者の当該調整に対する負担を軽減する。
【０１３７】
なお、上記第３実施形態では、濃度調整用の液体として精製水が濃度調整用タンク２４１に送り込まれたが、当該精製水に代えて、図１５に示すように、透析液流路３３Ａに流れる透析液が濃度調整用タンク２４１に送り込まれてもよい。
【０１３８】
図１５に示す透析用監視装置では、水流入管２５１に代えて、濃度調整用タンク２４１と接続ポート３４とを連結する連結管２６１が設けられる。この連結管２６１上に設けられる開閉弁２５２が濃度調整部１００によって開放されている場合、透析液流路３３Ａに流れる透析液が接続ポート３４及び連結管２６１を順次介して濃度調整用タンク２４１に送り込まれる。このようにしても、被験者の特性に合わせた浸透圧比に調整して投与することができ、患者に安全な補充液の追加が実現され、医療従事者の当該調整に対する負担を軽減する。
【０１３９】
また、透析液流路３３Ａに流れる透析液を濃度調整用タンク２４１に送り込む場合、図１６に示す透析用監視装置が採用されてもよい。
【０１４０】
図１６に示す透析用監視装置では、ローラポンプ２７と糖注入口２４との間に血液経路１４２Ａ及び透析液経路１４２Ｂが設けられ、血液経路１４２Ａには第１開閉弁１４５Ａが設けられ、透析液経路１４２Ｂには第２開閉弁１４５Ｂが設けられる。濃度調整用タンク２４１で濃度調整する場合、濃度調整部１００は、血液経路１４２Ａ上に設けられる第１開閉弁１４５Ａを閉塞させるとともに、透析液経路１４２Ｂ上に設けられる第２開閉弁１４５Ｂを開放させる。これに加えて濃度調整部１００は、ブドウ糖溶液を静脈側血液回路２０Ｂに送り込む場合にポンプ制御部１６０によって回転されるローラポンプ２７の第１回転方向とは逆の第２回転方向に回転させる。これに対して、濃度調整用タンク２４１で濃度調整されたブドウ糖溶液を静脈側血液回路２０Ｂに送り込む場合、濃度調整部１００は、血液経路１４２Ａ上に設けられる第１開閉弁１４５Ａを開放させるとともに、透析液経路１４２Ｂ上に設けられる第２開閉弁１４５Ｂを閉塞させる。この状態でポンプ制御部１６０によってローラポンプ２７が第１回転方向に回転されることで、濃度調整用タンク２４１で濃度調整されたブドウ糖溶液が静脈側血液回路２０Ｂに送り込まれる。
【０１４１】
このように図１６に示す透析用監視装置では、透析液経路１４２Ｂが、上流側の透析液流路３３Ａにブドウ糖溶液を送り込む流路と、濃度調整用タンク２４１に濃度調整用の透析液を送り込む流路として共用される。したがって図１６に示す透析用監視装置は、透析液経路１４２Ｂを共用できる分だけ部品点数を削減することができる。
【０１４２】
また、上記第３実施形態の透析用監視装置、図１５に示す透析用監視装置、図１６に示す透析用監視装置は、上記第２実施形態に組み入れることも可能である。すなわち、上記第２実施形態のローラポンプ２７と糖溶液タンク２６との間に濃度調整用タンク２４１及び濃度調整用ポンプ２４２が設けられ、上記第２実施形態の制御部１４４に濃度調整部１００が設けられればよい。この場合、制御部２４４の処理としては、例えば、上記第２実施形態の補正ステップＳＰ２Ｅと制御ステップＳＰ３０との間に濃度確認ステップＳＰ４０及び濃度調整ステップＳＰ５０が設けられる。
【０１４３】
さらに、上記第３実施形態の透析用監視装置、図１５に示す透析用監視装置、図１６に示す透析用監視装置は、上記第１実施形態に組み入れることも可能である。すなわち、第３実施形態の透析用監視装置又は図１５に示す透析用監視装置の場合、濃度調整用タンク２４１と糖注入口２４との間の経路が第１実施形態の第１の糖流入経路２５Ａ及び第２の糖流入経路２５Ｂとされる。図１６に示す透析用監視装置の場合、濃度調整用タンク２４１と分岐部位１４２Ｐとの間の経路が第１実施形態の第１の糖流入経路２５Ａ及び第２の糖流入経路２５Ｂとされる。そして、第１の糖流入経路２５Ａにローラポンプ２７が設けられ、第２の糖流入経路２５Ｂにシリンジポンプ２８が設けられる。このようにしてローラポンプ２７及びシリンジポンプ２８の双方が採用された場合、図７に示す第２の糖補充方法（実測対応可能モード）が採用可能である。ただし、図７に示す液量予測ステップＳＰ２と制御ステップＳＰ３との間に図１４に示す濃度確認ステップＳＰ４０及び濃度調整ステップＳＰ５０が加えられる。
【０１４４】
（４）変形例
上記実施形態では、透析液に含まれる糖としてブドウ糖が採用され、血液回路２０を流れる血液に補充する溶液に含まれる糖としてブドウ糖が採用された。しかしながら、糖は、ブドウ糖に限定されない。例えば、マルト−ス、スクロース、デキストリンなどが挙げられる。なお、透析液に含まれる糖と、血液回路２０を流れる血液に補充する溶液に含まれる糖とは同じであっても異なっていても良いが、同じであるほうが好ましい。
【０１４５】
また上記実施形態では、補充すべきブドウ糖溶液量が演算された。しかしながら、図１７に示すように、糖移動要因情報の項目に対して消失ブドウ糖量とともに補充すべきブドウ糖溶液量が関連付けられ、当該ブドウ糖溶液量を示すデータが記憶部４２に記憶されていても良い。
このように補充すべきブドウ糖溶液量がデータベースＤＢにおける糖移動要因情報の項目とされる場合、補充量予測部５０は補充量演算部を省略し得るため、処理負荷を低減することができる。またこの場合、補充量予測部５０は、例えば、入力部４１から入力される糖移動要因情報に最も近似する履歴値をデータベースＤＢから検出し、その履歴値に関連付けられる補充すべきブドウ糖溶液量を探索することで、当該ブドウ糖溶液量を予測することができる。
なお、図１７に示したように、本人における過去の透析治療の履歴値がデータベースＤＢのレコードとされる場合、上述の予測方法を代えることも可能である。例えば、補充量予測部５０は、入力部４１から入力される目標血糖値及び透析液濃度と、データベースＤＢに記憶される目標血糖値及び透析液濃度との値が同じである場合、当該入力した日時に最も近いレコードにおける補充すべきブドウ糖溶液量を検出することで、当該ブドウ糖溶液量を予測することができる。
別例として、補充量予測部５０は、データベースＤＢに記憶される目標血糖値及び透析液濃度との値が同じである場合、当該入力した日時に直近である複数のレコード又は任意の複数のレコードにおける補充すべきブドウ糖溶液量を検出することで、当該ブドウ糖溶液量を予測することができる。
【０１４６】
また上記実施形態では、補充量予測部５０が、糖移動要因情報に最も近似する履歴値をデータベースＤＢから検出し、その履歴値に関連付けられる消失ブドウ糖値に基づいて補充すべきブドウ糖溶液量を演算することで、当該補充すべきブドウ糖溶液量を予測した。しかしながら、補充量予測部５０は、糖移動要因情報に基づいて、所定の関数を用いて補充すべきブドウ糖溶液量を予測しても良い。
【０１４７】
また上記実施形態では、入力部４１から入力された糖移動要因情報をデータベースＤＢのレコードとして登録してなかったが、当該糖移動要因情報をデータベースＤＢのレコードとして登録しても良い。
なお、消失ブドウ糖量は、糖移動要因情報の目標血糖値に該当する透析患者の透析治療以後に判明する。したがって、入力部４１から入力された糖移動要因情報をレコードとして登録する場合、図１７に示したような日付等の識別子がデータベースＤＢのフィールドに追加されると良い。このようにすれば、透析治療以後に判明した消失ブドウ糖量を入力部４１から入力したときに、識別子を用いて、レコードとして先に登録された糖移動要因情報に対して、後に判明した消失ブドウ糖量を関連付けることができる。
このように入力部４１から入力された糖移動要因情報をデータベースＤＢのレコードとして登録した場合、透析治療に応じたレコードがデータベースＤＢに反映されるとともに、当該統制治療数のレコード数がデータベースＤＢに登録されることになる。したがって、データベースＤＢに登録される履歴値がより透析治療の透析治療に適応した値となり、この結果、糖補充装置４０における補充量予測部５０での予測精度を向上させることができる。
【０１４８】
また上記実施形態では、データベースＤＢにおけるフィールドに登録される糖移動要因情報として目標血糖値、透析液ブドウ糖濃度、血液流量、透析液流量及び膜面積が採用された。しかしながら、糖移動要因情報としては、少なくとも、目標血糖値、透析液ブドウ糖濃度及び血液流量が採用されていれば、透析液流量及び膜面積の全部又は一部が採用されていなくても良い。また、図１７に示したように、透析液流量及び膜面積以外の項目が採用されても良い。例えば、本体ケース３１の収納空間に血液、透析液を流す時間である透析時間、あるいは、補充ブドウ糖溶液量なども糖移動要因情報として採用することが可能である。なお、糖移動要因情報以外の透析治療に関係する情報がデータベースＤＢに記憶されていても良い。具体的には、例えば、尿毒症性物質、尿毒症毒素、血清及び血中電解質、血球、血小板、ＨｂＡ１ｃ、尿糖、インスリン、Ｃペプチド、グルカゴン、グリコアルブミン、抗ＧＡＤ抗体、インスリン抗体などの透析又は糖代謝関連の臨床検査値や、生体指標が挙げられる。糖移動要因情報と臨床検査値と生体指標との一部又は全部を用いて患者の兆候を制御部４４が得るようにしても良い。
【０１４９】
また上記実施形態では、静脈側血液回路２０Ｂに糖注入口２４が設けられ、当該静脈側血液回路２０Ｂからブドウ糖溶液が送り込まれた。しかしながら、糖注入口２４が動脈側血液回路２０Ａに設けられ、当該動脈側血液回路２０Ａからブドウ糖溶液が送り込まれても良い。ただし、動脈側血液回路２０Ａからブドウ糖溶液が送り込まれる場合、当該ブドウ糖溶液に含まれるブドウ糖の一部がダイアライザー３０で除去される傾向があるため、その除去分のブドウ糖を含めてブドウ糖を補充することが必要となる。したがって、ブドウ糖溶液量の仕様を抑え、透析患者に無用な水分を補充せず、正確かつ効率良く糖を補充する観点では、静脈側血液回路２０Ｂからブドウ糖溶液が送り込まれことが好ましい。
【０１５０】
また上記実施形態では、透析システム１が透析液供給システム１０と複数の透析用監視装置４Ａ〜４Ｆとによって構成されるセントラル透析液供給システムとされたが、当該透析液供給システム１０を省略した個人用透析装置による透析システムであっても良い。なお、個人用透析装置による透析システムの場合、透析用監視装置４Ａ〜４Ｆのそれぞれには透析液を供給する透析液供給部が設けられる。
【産業上の利用可能性】
【０１５１】
本発明は、個人用透析装置による透析システム又はセントラル透析液供給システム等の透析液供給システムや、ダイアライザーを用いる透析産業上で利用可能性がある。
【符号の説明】
【０１５２】
１・・・透析システム、２・・・透析溶剤溶解装置、３・・・多人数用透析液供給装置、４Ａ〜４Ｆ・・・透析用監視装置、１０・・・透析液供給システム、２０・・・血液回路、２４・・・糖注入口、２５，１４２，２４５・・・糖流入経路、２６・・・糖溶液タンク、２７・・・ローラポンプ、２８・・・シリンジポンプ、３０・・・ダイアライザー、３３・・・透析液流路、４０，１４０，２４０・・・糖補充装置、４１・・・入力部、４２・・・記憶部、４３・・・ポンプ駆動部、４４，１４４，２４４・・・制御部、５０・・・補充量予測部、５１・・・消失ブドウ糖量探索部、５２・・・補充量演算部、６０，１６０・・・ポンプ制御部、７１・・・採血部、７２・・・血糖値測定部、１００・・・濃度調整部、２４１・・・濃度調整用タンク、２４２・・・濃度調整用ポンプ
【図１】
0006796004.tif 000002
【図２】
0006796004.tif 000003
【図３】
0006796004.tif 000004
【図４】
0006796004.tif 000005
【図５】
0006796004.tif 000006
【図６】
0006796004.tif 000007
【図７】
0006796004.tif 000008
【図８】
0006796004.tif 000009
【図９】
0006796004.tif 000010
【図１０】
0006796004.tif 000011
【図１１】
0006796004.tif 000012
【図１２】
0006796004.tif 000013
【図１３】
0006796004.tif 000014
【図１４】
0006796004.tif 000015
【図１５】
0006796004.tif 000016
【図１６】
0006796004.tif 000017
【図１７】
0006796004.tif 000018